(57)【要約】【課題】高い浄化能力を発揮することができるとともに、比較的排気抵抗が少なく、小さな排気ファンで充分な排気が行え、ランニングコストを削減することができる排気ガス浄化装置及びシステムを提供する。【解決手段】シャワー本体１及びシャワー本体１のシャワーノズル８に水などの液体を供給する液体供給装置１０を有し、排気通路４内に遮蔽体７を設け、遮蔽体７は、断面が山形形状の遮蔽板２０を所定の間隔を置いて複数枚固定し、この複数の遮蔽板２０の間に排気流路２１が形成される構造とし、遮蔽板２０はその断面を山形形状とすることによって排気流路２１を通過する排気ガスに乱流を生じさせる構成により、高い浄化能力を発揮することができるとともに、排気能力が高く且つ装置が比較的小型に構成可能でランニングコストを削減することができる。【選択図】        図１
2008188556.tif 000002
【特許請求の範囲】
【請求項１】
浄化を必要とする排気ガスの入口と出口とを有し排気ガスの排気通路を構成する筐体と、前記筐体内の前記排気通路に設けられた複数の遮蔽体と、
複数の前記遮蔽体を湿潤させるための液体を供給する複数のシャワーノズルと
を備えたシャワー本体、
及び前記シャワーノズルに前記液体を供給する液体供給装置を有し、
前記遮蔽体は、断面が山形形状の遮蔽板が所定間隔を置いて複数枚配列され、前記遮蔽板の間に排気流路を形成したことを特徴とする排気ガス浄化装置。
【請求項２】
隣接する前記遮蔽体では、一方の前記遮蔽体を構成する前記遮蔽板と、他方の前記遮蔽体を構成する前記遮蔽板とを直交させて配置したことを特徴とする請求項１に記載の排気ガス浄化装置。
【請求項３】
前記液体供給装置が、前記液体を蓄えるタンクと、前記タンク内の前記液体に空気を混合する散気装置と、前記タンク内の前記液体を前記シャワーノズルに供給する流体ポンプとを有することを特徴とする請求項１に記載の排気ガス浄化装置。
【請求項４】
前記タンク内には、臭気を分解する微生物を蓄えたことを特徴とする請求項３に記載の排気ガス浄化装置。
【請求項５】
前記タンク内には、油を分解する微生物を蓄えたことを特徴とする請求項３に記載の排気ガス浄化装置。
【請求項６】
前記微生物として、少なくとも好気性微生物を含むことを特徴とする請求項４又は請求項５に記載の排気ガス浄化装置。
【請求項７】
前記タンク内には、前記タンクに蓄えられた液体に酸素を含む気体を供給するエアレーションを有することを特徴とする請求項３に記載の排気ガス浄化装置。
【請求項８】
前記排気通路の下方において前記液体を回収し、回収した前記液体を前記液体供給装置に導くことを特徴とする請求項１に記載の排気ガス浄化装置。
【請求項９】
請求項１から請求項８のいずれかに記載の排気ガス浄化装置を用いた排気ガス浄化システムであって、前記液体供給装置一個に対して複数の前記シャワー本体を設けたことを特徴とする排気ガス浄化システム。
【発明の詳細な説明】
【技術分野】
【０００１】
本発明は、焼肉店や焼鳥店などから排出される臭気や油分を含む排気を浄化するための排気ガス浄化装置及び排気ガス浄化システムに関するものである。
【背景技術】
【０００２】
焼肉店，焼き鳥店などの臭気や油を含む排気に対する排気浄化装置としては、排気流路に水などのシャワーを噴霧し、水のシャワーに排気を通過させて、排気中の臭気や油を取り除くようにした装置が使われていた。また、さらにこのような装置に加えてセラミックを用いた吸着式脱臭装置や、活性炭吸着装置等の浄化装置を設置し、より強力な排気の浄化を行っている。また、浄化効果をさらに強めるために、パンチングメタルなどのメッシュ状のフィルタを流路に設けて、水との接触を高める装置も存在する。
【特許文献１】特開２００４−０１６９２４号公報
【発明の開示】
【発明が解決しようとする課題】
【０００３】
しかしながら、排気を浄化するための従来の浄化装置においては、水のシャワーに排気を通過させるだけであるため、排気を浄化する能力は充分ではなく、またパンチングメタルなどのメッシュ状のフィルタを流路に設けて、水との接触を高める装置においては、このようなメッシュ状のフィルタが排気の抵抗となって充分な排気が行えないため、強力な排気ファンが必要となり、装置全体が大きくなるとともに、消費電力及び装置価格が比較的高いという問題があった。
【０００４】
本発明は上記の問題を解決し、高い浄化能力を発揮することができるとともに、比較的排気抵抗が少なく、小さな排気ファンで充分な排気が行え、ランニングコストを削減することができる排気ガス浄化装置及びシステムを提供することを目的とする。
【課題を解決するための手段】
【０００５】
請求項１記載の本発明の排気ガス浄化装置は、浄化を必要とする排気ガスの入口と出口とを有し排気ガスの排気通路を構成する筐体と、前記筐体内の前記排気通路に設けられた複数の遮蔽体と、複数の前記遮蔽体を湿潤させるための液体を供給する複数のシャワーノズルと、を備えたシャワー本体、及び前記シャワーノズルに前記液体を供給する液体供給装置を有し、前記遮蔽体は、断面が山形形状の遮蔽板が所定間隔を置いて複数枚配列され、前記遮蔽板の間に排気流路を形成したことを特徴とする。
請求項２記載の本発明は、請求項１に記載の排気ガス浄化装置において、隣接する前記遮蔽体では、一方の前記遮蔽体を構成する前記遮蔽板と、他方の前記遮蔽体を構成する前記遮蔽板とを直交させて配置したことを特徴とする。
請求項３記載の本発明は、請求項１に記載の排気ガス浄化装置において、前記液体供給装置が、前記液体を蓄えるタンクと、前記タンク内の前記液体に空気を混合する散気装置と、前記タンク内の前記液体を前記シャワーノズルに供給する流体ポンプとを有することを特徴とする。
請求項４記載の本発明は、請求項３に記載の排気ガス浄化装置において、前記タンク内には、臭気を分解する微生物を蓄えたことを特徴とする。
請求項５記載の本発明は、請求項３に記載の排気ガス浄化装置において、前記タンク内には、油を分解する微生物を蓄えたことを特徴とする。
請求項６記載の本発明は、請求項４又は請求項５に記載の排気ガス浄化装置において、前記微生物として、少なくとも好気性微生物を含むことを特徴とする。
請求項７記載の本発明は、請求項３に記載の排気ガス浄化装置において、前記タンク内には、前記タンクに蓄えられた液体に酸素を含む気体を供給するエアレーションを有することを特徴とする。
請求項８記載の本発明は、請求項１に記載の排気ガス浄化装置において、前記排気通路の下方において前記液体を回収し、回収した前記液体を前記液体供給装置に導くことを特徴とする。
請求項９記載の本発明の排気ガス浄化システムは、請求項１から請求項８のいずれかに記載の排気ガス浄化装置を用いた排気ガス浄化システムであって、前記液体供給装置一個に対して複数の前記シャワー本体を設けたことを特徴とする。
【発明の効果】
【０００６】
本発明によれば、高い浄化能力を発揮することができるとともに、排気能力が高く且つ装置が比較的小型に構成可能でランニングコストを削減することができる排気ガス浄化装置及びシステムを提供することができる。
【発明を実施するための最良の形態】
【０００７】
（実施の形態１）
以下、本発明の実施の形態である排気ガス浄化装置について、図１から図６を用いて詳細に説明する。排気ガス浄化装置におけるシャワー本体１は、浄化するべき排気ガスの入口２と出口３とを有し、排気ガスの排気通路４を構成する筐体５を備えている。この筐体５は、排気通路４を構成するため、筐体５の上下と側部の四方には薄い鋼板６が固定され排気通路４を構成している。図１及び図２では、内部説明のために鋼板６の図示は一部省略している。筐体５内の排気通路４には、複数の遮蔽体７が固定されている。また、筐体５の上部には、複数の遮蔽体７を湿潤させるための水等の液体を供給する複数のシャワーノズル８が設置されている。このシャワーノズル８は、液体を供給するパイプ９の下方に固定されている。排気ガス浄化装置はさらに、シャワー本体１のシャワーノズル８にパイプ９を介して水などの液体を供給する液体供給装置１０を有している。
この液体供給装置１０は、液体を蓄えるタンク１１と、タンク１１内の液体に空気を混合する散気装置１２と、タンク１１内の液体を配管９に導くパイプ９ａ及びシャワーノズル８へ液体を供給する流体ポンプ１３とを備えている。
さらにタンク１１内の液体中には、臭気や油を分解する微生物が蓄えられている。この微生物には少なくとも好気性微生物が含まれていてもよい。タンク１１内には、タンク１１に蓄えられた液体に酸素を含む気体１４を供給するためのエアレーション１５が設置され、散気装置１２の主要部となっている。この液体供給装置１０の上部には、エアレーション１５へ空気流路１６を介して気体１４を供給するエアポンプ１７が配置されている。排気通路４の下方において液体を回収し、回収した液体を液体供給装置１０に導く液体循環装置は、筐体５の下部の受け皿１８及び受け皿１８に貯まった液体を回収して液体供給装置１０のタンク１１内に導く液体循環用パイプ９ｂから構成されている。
本実施の形態中の筐体５は、略立方体の形状になっているが、適宜、直方体や円筒形にすることも可能である。
【０００８】
次に、排気通路４内の遮蔽体７の詳細について、図４により説明する。遮蔽体７は、断面が山形形状の遮蔽板２０を所定の間隔Ｘを置いて複数枚（本実施の形態では２２枚）が接続固定部２０ａに接着剤や溶着による手段で相互に固定されている。なお間隔Ｘはたとえば２２ｍｍ、厚さは１００ｍｍとする。遮蔽体７には、この複数の遮蔽板２０間の間隔Ｘにより２１個の排気流路２１が形成されている。図５に示すように遮蔽板２０はその断面を山形の形状とすることによって、排気流路２１を通過する排気ガスに乱流２２を生じさせる構成となっている。シャワーノズル８は、複数の遮蔽体７の間に設けられ、且つ遮蔽板２０の端に液体のシャワー２３がかかるように設置位置が調整されている。
さらに、図１や図２に示すように複数の隣接する遮蔽体７間で、山形の遮蔽板２０によって空気の流れる方向を異ならせるために、山形形状の遮蔽板２０の向きが９０度回転した関係（たとえば遮蔽体７ａは図５に示すように遮蔽板２０の山形の先端が上方に向いており、遮蔽体７ｂでは図６に示すように遮蔽板２０の山形の先端が側方に向いている。）で配置され、排気流路２１を通過する排気ガスは、お互いに直角の方向に流れが変更される構成となっている。
【０００９】
以上の構成によれば、入口２から流入してくる排気ガスを、圧力損失の少ない遮蔽板２０を用いて、排気ガスが直流となることや、中央に集中することを防ぎ、毎分３〜５立法メートルの容積で水を噴射できる平型シャワーノズルを組み合せて、排気ガスと水との接触効率を飛躍的にアップさせることができる。
遮蔽板２０とシャワーノズル８の組み合わせで、排気ガスに含まれる臭気成分と煙を直接シャワーの水で叩く効果と、シャワー２３の水によって遮蔽板２０を湿潤にし、その部分に排気ガスが衝突することで、臭気成分をキャッチする効果との相乗効果で、ガスと水の接触効率を低い排気ガスの圧力損失で、効率よく浄化することができる。
また排気ガスの流れは、まず上下流となる遮蔽板７ａに衝突させて、下降流となったときに、上部に設けられたシャワーノズル８からのシャワー２３で叩かれる。次に左右流となる遮蔽板７ｂに衝突して、排気ガスの流れを直角に捻じられることで、さらに乱流(渦巻き流)を発生させて流れに変化を付けることで、シャワー２３の水との接触効率を高めている。
連続で排気ガスの流れに乱流を発生させるべく、遮蔽体７を４個設置しているが、その間にシャワーノズル８が配置され、臭気と煙が水にて叩き落されるという遮蔽体７とシャワー２３の多段式構造とすることで、臭気や油成分等を確実に取り除く仕組みとなっている。
【００１０】
山形の遮蔽板２０を用いることで、５ｍｍＡｑという低圧力損失を確保でき、排気ガスの排気用のファンの電力消費量が小さくて済む。本実施の形態では、省エネを考慮しており、６００ｍｍ角というコンパクトなボディにも関わらず、３０立方メートル／分という風量を受け入れることができる。流体は、中心に集まりやすいという特性を持っているため、中心の速度が速くなる傾向にあるが、流速が早くなる中心流を山形の遮蔽板２０に衝突させることで、排気ガスを分散させ、シャワー２３の水の膜に均等に当たるように構成している。入口２側と出口３側に、上下方向の山形の遮蔽板２０を設けた遮蔽体７ａを配置することで、前後への水の漏洩を防ぐことができる構造となっているので、排気ダクトなどとの接続部の水密性を持たせなくとも良いという効果も得られる。
シャワー２３により落された水は、自然流下で液体循環装置により液体供給装置１０に戻っていく。そこで、エアレーション１５という、激しく気液混合を行う散気装置１２を利用して、物理的な衝撃的酸化と微細気泡が発生することで、水中の溶存酸素が飛躍的に高まるために、水中の微生物が高活性し、排気ガスに含まれている有機成分を高速で効率よく分解していく。また、エアレーション１５を行うことで、酸化分解が行われ、酸化電位が発生する。
【００１１】
（実施の形態２）
次に、本発明の排気ガス浄化装置を用いた排気ガス浄化システムについて、図７及び図８を用いて詳細に説明する。本実施の形態では、焼肉店の屋上に図７に示すように、浄化用ダクト２４を介して複数のシャワー本体１に排気ガスが供給される構成を有している。焼肉店内で発生した排気ガスは排気装置（図示せず）により浄化用ダクト２４を介して複数のシャワー本体１に供給される。複数のシャワー本体１に対して１個の液体供給装置１０により水等の液体が供給され排気ガスの浄化が行われる。
シャワー本体１はすべて同じ大きさとなっており、排気ガスの必要な風量によって数量を適宜増やすだけで良い構造としている。このことから、後付の施工はもちろんのこと、ビルドイン設計も容易となるので、設置業者にも非常にメリットがある。
（実施の形態３）
【００１２】
次に、本発明の排気ガス浄化装置を用いた他の排気ガス浄化システムについて、図９を用いて詳細に説明する。本実施の形態では、浄化用ダクト２５に複数のシャワー本体１が縦に積み上げられて接続されている。発生した排気ガスは排気装置（図示せず）により浄化用ダクト２５を介して複数のシャワー本体１に供給される。複数のシャワー本体１に対して液体供給装置１０（図９では図示せず）により水等の液体が供給され排気ガスの浄化が行われる。
シャワー本体１はすべて同じ大きさとなっているので、本実施例のように縦に積み重ねる構造の配置が容易で、排気ガスの必要な風量によって数量を適宜増やすだけで良い。このことから、設置業者にも非常にメリットがある。
【産業上の利用可能性】
【００１３】
本発明の排気ガス浄化装置及びシステムによれば、高い浄化能力を発揮することができるとともに、排気に際しての排気抵抗が少ないので排気能力が高く且つ装置が比較的小型に構成可能でランニングコストを削減することができるため、排気を必要とする工場、商店など広い分野で、臭気や油等の混ざっている排気の浄化に利用可能である。
【図面の簡単な説明】
【００１４】
【図１】本発明の一実施形態における排気ガス浄化装置のシャワー本体の斜視図
【図２】同側面図
【図３】同装置の一部破断した斜視図
【図４】同実施の形態における遮蔽体の側面図
【図５】同実施の形態における遮蔽体の動作を説明する側面図
【図６】同上面図
【図７】本発明の他の実施形態における排気ガス浄化装置の斜視図
【図８】同実施形態におけるダクトとシャワー本体の斜視図
【図９】本発明のさらに他の実施形態におけるダクトとシャワー本体の斜視図
【符号の説明】
【００１５】
１  シャワー本体
２  入口
３  出口
４  排気通路
５  筐体
７  遮蔽体
８  シャワーノズル
１０  液体供給装置
１１  タンク
１２  散気装置
１３  流体ポンプ
１４  気体
１５  エアレーション
１７  エアポンプ
１８  受け皿
２０  遮蔽板
２１  排気流路
２２  乱流
【図１】
2008188556.tif 000003
【図２】
2008188556.tif 000004
【図３】
2008188556.tif 000005
【図４】
2008188556.tif 000006
【図５】
2008188556.tif 000007
【図６】
2008188556.tif 000008
【図７】
2008188556.tif 000009
【図８】
2008188556.tif 000010
【図９】
2008188556.tif 000011